(57)【要約】      （修正有）【課題】水引の金封をお渡しした後に、四つ折りにして、男性では胸ポケットに入れ、女性でもバッグの中に小スペースで入れることを可能にした四つ折りのコンパクトな金封ふくさを提供する。【解決手段】左右対称に二つ折り可能にし、更に二つ折りからその中央部で更に上下に二つ折りにしてなる四つ折りふくさ１００−１であり、左右対称に二つ折りの際、一方片側をふた（かぶせ）１０１にし、他方の片側を金封台１０２にしてその内面に金封１０５の下部の一部を収容可能な三角ポケット１０３−１を設けるとともに金封台の表側に二つ折り又は四つ折りの際、開かないようにするゴムバンド１０４を付設したことを特徴とする。【選択図】図１
0003203672.tif 000002
【実用新案登録請求の範囲】
【請求項１】
左右対称に二つ折り可能にし、更に前記二つ折りからその中央部で更に上下に二つ折りにしてなる四つ折りふくさであり、前記左右対称に二つ折りの際、一方片側をふた（かぶせ）にし、他方の片側を金封台にしてその内面に金封の下部の一部を収容可能なポケットを設けるとともに金封台の表側に二つ折り又は四つ折りの際、開かないようにするゴムバンドを付設したことを特徴とする四つ折りのコンパクトな金封１０５ふくさ。
【考案の詳細な説明】
【技術分野】
【０００１】  本考案は、四つ折りのコンパクトな金封ふくさに関するものである。
【背景技術】
【０００２】  ふくさ（袱紗）は、元来，柔らかな手触りのよいことを指し，《日葡辞書》では〈袱紗物〉〈袱紗絹〉などとともに〈袱紗な人〉（物柔らかで人あたりのよい人）の用例もある。
その上で、袱紗は、元々貴重品などが収蔵された箱上に掛けられ、服紗小袖，袱紗帯のごとく柔らかな絹布製の風呂敷であった。
その風呂敷が贈答品を運ぶ時の汚れや日焼け防止として用いられるようになり１枚の布地から裏地付きの絹製で四方に亀房と呼ばれる房付きのものに変わり、慶弔行事の数珠納め、金品を贈る時の儀礼や心遣いとして広ふた（黒塗りの盆）と併せて用いられるようになった。【０００３】  また一般に茶の湯では方形の縮緬や絹布を言う。袱紗に関する背景はこのようであるが、現在は、台・爪付の小型の風呂敷タイプの他に、特許文献１に記載のような２つ折りや三つ折りタイプの金封袱紗、左開きの弔事（お悔やみ）袱紗、右開きの慶事（お祝い）袱紗やお見舞袱紗が多く市販され利用されている。
因みに、風呂敷タイプ袱紗の場合、数珠や熨斗袋（筒）を包む場合は結婚式などの慶事には右前に包み、葬儀など弔事には左前に包む。
祝儀袋（筒）の包み方は祝儀袋（筒）を中心より少し左の方へ寄せておき左側を中に折り込み上側をたたみ、次に下側をたたみ右側を折り裏へ折り返す。不祝儀袋（筒）の包み方は、不祝儀袋（筒）を中心より少し右の方へ寄せておき右側を中に折り込み下側をたたみ、次に上側をたたみ左側を折り裏へ折り返す。袱紗の用途と色様々な色のものがあり、暖色系の明るい色は慶事用、寒色系の沈んだ色は弔事用、紫色はどちらにも使える。
【先行技術文献】
【特許文献】
【０００４】
【特許文献１】  実用新案登録第３１９０４９６号公報（袱紗）
【考案の開示】
【考案が解決しようとする課題】
【０００５】  一般に、ふくさは、数珠や熨斗袋（筒）の水引が崩れたり袋（筒）が皺になることを防ぐ事や先方の心中や祭礼を重んじ、喜びや悲しみを共にする気持ちを表わすものである。つまり数珠や熨斗袋（筒）で金封した上でなおかつ袱紗で包むという肌理細やかな心遣いである。【０００６】  しかしながら、近年の金封、祝儀袋（筒）の水引が大きく且つ豪華になっている趨勢にあり、これを収容するふくさは、ふた・かぶせの部分が大きく膨らみ、見た目がきちんとならず、袱紗本来の機能と目的を喪失し、先方様に不愉快を与えるなど失礼な結果となる。【０００７】  また、水引の金封をお渡しした後に、男性では胸ポケットに入れ、女性ではバッグの中にいれるが、いずれも邪魔になる。【０００８】  本考案は、このような事態を未然に防止するためになされたものであり、水引の金封をお渡しした後に、四つ折りにして、男性では胸ポケットに入れ、女性でもバッグの中に小スペースで入れることを可能にした「四つ折りのコンパクトな金封ふくさ」を提供するものである。
【課題を解決するための手段】
【０００９】  上記課題を満足させる本考案の主な技術構成は、次の（１）の通りである。
（１）、左右対称に二つ折り可能にし、更に前記二つ折りからその中央部で更に上下に二つ折りにしてなる四つ折りふくさであり、前記左右対称に二つ折りの際、一方片側をふた（かぶせ）にし、他方の片側を金封台にしてその内面に金封の下部の一部を収容可能なポケットを設けるとともに金封台の表側に二つ折り又は四つ折りの際、開かないようにするゴムバンドを付設したことを特徴とする四つ折りのコンパクトな金封１０５ふくさ。
【考案の効果】
【００１０】  本考案の四つ折りのコンパクトな金封ふくさは、金封を収容するときは、二つ折り状態を見開き、その一方をふたにし他方を金封台にし、金封台の内面に設けたポケットに金封の下部の一部を収容して後、ふたをかぶせて二つ折りにし、金封台の表側に係止したゴムバンドを掛けるため、金封と水引が嵩張っても簡単に収容した状態で先方様に開いて金封を渡すことができ、袱紗本来の機能と目的を満足し、先方様に失礼になることがない。【００１１】  また、本考案の四つ折りのコンパクトな金封ふくさは、二つ折りから開いて使用後は、再びふたをかぶせて二つ折りにし、更に前記二つ折りからその中央部で更に上下に二つ折りにして四つ折りのコンパクトにした後、該ゴムバンドを掛けるため、男性では胸ポケットに容易に入れ、女性でもバッグの中に小スペースで入れることを可能にした等の優れた作用効果を呈する。
【図面の簡単な説明】
【００１２】
【図１】慶事用の四つ折りふくさ１００−１の実施例（具体例）を示し、ふた１０１と金封台１０２を広げて内面を出し、金封台１０２に設けた三角ポケット１０３−１に金封１０５の下部の角を収容した状態を示す平面説明図（１）である。（２）は（１）の状態から二つ折りにしてゴムバンド１０４を掛けた表側の平面説明図で、（３）はその裏側の平面説明図である。
【図２】弔事用の四つ折りふくさ１００−２の実施例（具体例）を示し、ふた１０１と金封台１０２を広げて内面を出し、金封台１０２に設けた三角ポケット１０３−２に金封１０５を収容した状態を示す平面説明図（１）である。（２）は（１）の状態から二つ折りにして前記ゴムバンド１０４を掛けた表側の平面説明図で、（３）はその裏側の平面説明図である。
【図３】慶事弔事両用の四つ折りふくさ１００−３であり、（１）に慶事時の使用状態を、（２）に（１）の状態から右に半回転（又は左に半回転）させて弔事時に使用する状態を各々示す平面説明図である。
【図４】本考案の四つ折りふくさの折り畳み順を、図１に示す慶事用の四つ折りふくさ１００−１を例にして示す平面説明図であり、（１）は表面を拡げた状態の平面図、（２）はふた１０１を閉じて二つ折りにした状態を示す平面説明図、（３）は更にふた１０１と金封台１０２の上半部を同時に一方に閉じて四つ折りにし、ゴムバンド１０４で締めた状態を示す平面説明図である。
【考案を実施するための形態】
【００１３】  本実施例の四つ折りのコンパクトな金封１０５ふくさを、図１に示す慶事用の四つ折りふくさ１００−１と、図２に示す弔事用の四つ折りふくさ１００−２と、図３に示す慶事弔事両用の四つ折りふくさ１００−３を紹介する。
各ふくさは、色を紫にして慶弔の何れにも使用可能の色にしてある。
図４には、図１に示す慶事用の四つ折りふくさ１００−１を例にして四つ折りふくさの折り畳み順を紹介する。
【００１４】  四つ折りのコンパクトな金封ふくさ１００−１〜１００−３はいずれも、図４に示すように、左右対称にしたふた１０１と金封台１０２を二つ折り可能にし、更にこの二つ折りからその中央部で更に上下に二つ折り可能にしてなる。
つまり図示していないが、本例はふくさの内部芯を四等分に分割配置して、或いは一枚ものの柔軟な内部芯に十字の薄厚の折り溝を付けるなどして四つ折り可能にしてある。
【００１５】  前記金封台１０２の内面には、金封１０５の下角を収容可能な三角ポケット１０３−１，又は１０３−２を設けてある。
【００１６】  このふた１０１と金封台１０２の三角ポケット１０３−１，１０３−２の配置は、慶事（お祝い）に使用するふくさやお見舞ふくさの場合は、図１に示すように、ふた１０１を向かって右側にして右開きにし、左側の金封台１０２に慶事用の金封１０５を収容する三角ポケット１０３−１を設ける。
又弔事（お悔やみ）に使用するふくさの場合は、図２に示すように、ふた１０１を向かって左側にして左開きにし、右側の金封台１０２に弔事用の金封１０５を収容する三角ポケット１０３−２を設ける。
【００１７】  図３に示す慶弔両用の四つ折り金封１０５ふくさ１００−３は、左右反転して使用するふくさであり、金封台１０２の上下両隅に三角ポケット１０３−１と三角ポケット１０３−２を設けて、慶事の際は、（１）の状態で使用し、弔事の際は、左右反転して（２）に示す状態で使用する。
【００１８】  そして、慶弔時に使用の際は、図１の（２）と（３）、図２の（２）と（３）に示すように金封１０５を収容して二つ折りにし、開かないようにするゴムバンド１０４を掛ける。
ゴムバンド１０４は、金封台１０５１０２の表面の下半部の中央部に図示のように中心部を縫合して取り付けてある。
【００１９】  以上の実施例で紹介した四つ折りのコンパクトな金封ふくさ１００−１、１００−２，１００−３は、水引金封１０５をソフトなふた１０１で収め、浮かないようにゴムバンド１０４で優しくて止めておくことができる。そして先方様に金封１０５をお渡しした後は、図４の（３）に示すように四つ折りにして、ゴムバンド１０４で止めて４分の１に小さくして、スマートに収められる。このように小さくなるのでバックやバックがなくても内ポケットに入りやすく特に男性の方には重宝がられる。
【産業上の利用可能性】
【００２０】  本考案は、前述の優れた作用効果を呈する為、慶弔袱紗の製造メーカ及び利用者に貢献すること多大なものがある。
【符号の説明】
【００２１】１００−１〜１００−３：四つ折りふくさ
１０１：ふた
１０２：金封台
１０３−１，１０３−２：三角ポケット
１０４：ゴムバンド
１０５：金封
【図１】
0003203672.tif 000003
【図２】
0003203672.tif 000004
【図３】
0003203672.tif 000005
【図４】
0003203672.tif 000006